(57)【要約】      （修正有）【課題】洗浄後に洗浄液等が残りにくい歯科用ハンドピースを提供する。【解決手段】歯科用ハンドピースにおいて、ヘッド１０とグリップを有し、ヘッドは、治療工具を保持する工具保持体と、工具保持体に設けられたヘッド歯車を有し、工具保持体は回転自在にヘッド内部に位置し、グリップの内部には、ヘッド歯車に駆動力を伝達する第１伝達軸６０と第２伝達軸７０と、第２伝達軸を内部に通すジャケットケース３０と、第１伝達軸を内部に通す接続ケース５０と、第１伝達軸と第２伝達軸の接続空間を形成する中間ケース４０を備え、第１伝達軸には、モータと連結する連結部６１を備え、接続ケースには、外部から駆動力を得るためにモータと接続する接続開口を備え、ヘッドとジャケットケースは接続し、ジャケットケースと中間ケースは接続し、中間ケースと前記接続ケースは接続し、これらの接続部分は、密閉構造となるように各部を構成する。【選択図】図３
2020130747.tif 000002
【特許請求の範囲】
【請求項１】
ヘッドと、前記ヘッドに接続するグリップを有し、
前記ヘッドは、治療工具を保持する工具保持体と、前記工具保持体に設けられたヘッド歯車を有し、前記工具保持体は回転自在に前記ヘッド内部に位置し、
前記グリップの内部には、前記ヘッド歯車に駆動力を伝達する第１伝達軸と第２伝達軸と、前記第２伝達軸を内部に通すジャケットケースと、前記第１伝達軸を内部に通す接続ケースと、前記第１伝達軸と前記第２伝達軸の接続空間を形成する中間ケースを備え、
前記第１伝達軸には、モータと連結する連結部を備え、
前記接続ケースには、外部から駆動力を得るためにモータと接続する接続開口を備え、
前記ヘッドと前記ジャケットケースは接続し、前記ジャケットケースと前記中間ケースは接続し、前記中間ケースと前記接続ケースは接続し、
これらの接続部分は、密閉構造であることを特徴とする歯科用ハンドピース。
【請求項２】
前記第１伝達軸は、軸受ホルダに保持された軸受に、回転自在に軸支持され、
前記軸受ホルダは、前記中間ケースと前記接続ケースに挟まれていることを特徴とする請求項１に記載の歯科用ハンドピース。
【請求項３】
前記軸受ホルダと前記中間ケースと前記接続ケースの接続位置は、ラビリンス構造であることを特徴とする請求項２に記載の歯科用ハンドピース。
【請求項４】
前記中間ケースは、前記グリップに対して、後から前方向に突き当てて配置され、  
前記軸受ホルダは  前記中間ケースに対して、後から前方向に突き当てて配置され、
前記接続ケースは  前記軸受ホルダに後から前方向に突き当てて配置され、
リング螺子が前記軸受ホルダの後側から、前記軸受ホルダを前方向に押すように螺子込まれることで、グリップに固定されることを特徴とする請求項３に記載の歯科用ハンドピース。
【発明の詳細な説明】
【技術分野】
【０００１】
本発明は、治療箇所を切削する治療工具を回転自在に備え、この治療工具をモータにより回転させる歯科用ハンドピース（以下、ハンドピース）に関するものである。
【背景技術】
【０００２】
従来から、歯科の医療分野において、ハンドピースと呼ばれる手持ちの医療器具を用いた治療が行われている。
ハンドピースは、治療工具を回転自在に保持するヘッドと、ヘッドに接続するグリップと、グリップの後部に接続する駆動源となるモータと、グリップ内部においてモータの駆動力をヘッドへと伝達する伝達機構と、伝達機構を保持する構造を備える（例えば、特許文献１参照）。
【０００３】
この様なハンドピースは、治療に用いる都度、洗浄する必要がある。洗浄は、ハンドピースのモータの接続部分を洗浄装置に接続して、ハンドピースの内部に洗浄液や温水を注入して洗浄した後、温風を流すことで内部を乾燥させるものである。ハンドピースの内部に注入した薬液や温水は、ヘッドの隙間から外部に排出される。
【先行技術文献】
【特許文献】
【０００４】
【特許文献１】特表２００５−５２０５８０号公報
【発明の概要】
【発明が解決しようとする課題】
【０００５】
しかしながら、ハンドピースの内部は、グリップ内部の空間に伝達機構等が設けられ、内部を構成する部材のつなぎ目があり、狭くて複雑である。従って、ハンドピースの内部の複雑な部分に入り込んだ薬液や温水が、十分にハンドピースの外部に排出されず、また、十分な乾燥を行うことができずに、内部に薬液や水が残留する課題がある。
【０００６】
本発明が解決しようとする課題は、洗浄後に内部に洗浄液や水が残りにくい歯科用ハンドピースを提供することである。
【課題を解決するための手段】
【０００７】
課題を解決するためには、歯科用ハンドピースにおいて、ヘッドと、ヘッドに接続するグリップを有し、ヘッドは、治療工具を保持する工具保持体と、工具保持体に設けられたヘッド歯車を有し、工具保持体は回転自在にヘッド内部に位置し、グリップの内部には、ヘッド歯車に駆動力を伝達する第１伝達軸と第２伝達軸と、第２伝達軸を内部に通すジャケットケースと、第１伝達軸を内部に通す接続ケースと、第１伝達軸と第２伝達軸の接続空間を形成する中間ケースを備え、第１伝達軸には、モータと連結する連結部を備え、接続ケースには、外部から駆動力を得るためにモータと接続する接続開口を備え、ヘッドとジャケットケースは接続し、ジャケットケースと中間ケースは接続し、中間ケースと前記接続ケースは接続し、これらの接続部分は、密閉構造となるように各部を構成する。
【発明の効果】
【０００８】
本発明によれば、洗浄後に内部に洗浄液や水が残りにくい歯科用ハンドピースを提供することができる。
【図面の簡単な説明】
【０００９】
【図１】実施の形態に係るハンドピースを示す図であって、（ａ）ハンドピースの左側面図、（ｂ）ハンドピースを左斜め前からみた斜視図、（ｃ）ハンドピースを左斜め後からみた斜視図
【図２】（ａ）図１（ｂ）のＸ−Ｘ断面図、（ｂ）（ａ）に示すハンドピースから係止シャフトを外した状態を示す断面図
【図３】ハンドピースの分解斜視図
【図４】図３の断面図
【図５】中間ケースを示す図であり、（ａ）左側面図、（ｂ）左斜め前から見た斜視図、（ｃ）左斜め後ろから見た斜視図、（ｄ）左斜め下方向から見た斜視図、（ｅ）（ｂ）のＹ−Ｙ断面図
【図６】図４におけるヘッドの拡大断面図
【図７】図３における第１伝達軸の拡大断面図
【図８】図３における接続ケースの拡大断面図
【図９】等速の伝達機構を備えたハンドピースの断面図
【発明を実施するための形態】
【００１０】
（実施の形態）
以下、発明の実施の形態を図面を参照して説明する。
図１は、実施の形態に係るハンドピースを示す図であって、（ａ）ハンドピースの側面図、（ｂ）ハンドピースを左斜め前からみた斜視図、（ｃ）ハンドピースを左斜め後からみた斜視図である。図２（ａ）は、図１（ｂ）のＸ−Ｘ断面図、（ｂ）（ａ）に示すハンドピースから係止シャフトを外した状態を示す断面図である。図３は、ハンドピースの分解斜視図である。図４は、図３の断面図である。図５は、中間ケースを示す図である。図６は、図４におけるヘッドの拡大断面図である。図７は、図３における第１伝達軸の拡大断面図である。図８は、図３における接続ケースの拡大断面図である。
【００１１】
尚、本発明のハンドピースＨにおいて、ヘッド１０を備える側を「前」、モータが連結される側を「後」とする。そして、後方側から見て、「左」「右」を規定する。また、図２と図４の断面位置は、ハンドピースの左右中心を通る位置である。
【００１２】
図１〜図４を参照すると、ハンドピースＨは、ヘッド１０と、このヘッド１０に対して後方に延びるグリップ２０を備える。ヘッド１０とグリップ２０は、外装がチタニウムやアルミニウム、又は、これらの合金などにより形成されている。
グリップ２０は、筒状の部位であり、後端には、駆動源であるモータＭが接続する。グリップ２０はハンドピースＨの外殻を構成し、使用時に使用者が手で握る部位となる。
【００１３】
また、グリップ２０の内部には、モータＭの駆動力をヘッド１０へと伝達する伝達機構（第１伝達軸６０、第２伝達軸７０）と、この伝達機構を内部に通して支持する内部ケース（ジャケットケース３０、中間ケース４０、接続ケース５０）と、ヘッド１０へと水を供給する流路となる水流路２４と、ヘッド１０へとエアを供給する流路となるエア流路２５と、グリップ２０へと光を導光する導光路２６が備えられる。
【００１４】
ヘッド１０
以下、各部について詳細に説明する。
主に図６を参照して、ヘッド１０を説明する。
ヘッド１０は、ハンドピースＨの先端部分を構成し、治療工具Ｔが着脱可能に取り付けられる部位である。ヘッド１０の外装は、ヘッドハウジング１１と保持解除ボタン１２から構成されている。
【００１５】
ヘッドハウジング１１は、下方向に向けて窄む形状を成す筒状の部材であり、後側の面から後方に向けて一体に立ち上がる筒状の部位であるヘッドハウジング接続部１１ａを備える。
ヘッドハウジング接続部１１ａには、後方に向けて開口するヘッドハウジング後開口１１ｂが形成されている。ヘッドハウジング後開口１１ｂを形成するヘッドハウジング接続部１１ａの内壁面には、雌螺子が形成されている。そして、ヘッドハウジング接続部１１ａの外周面には、雄螺子が形成されている。
更に、ヘッドハウジング１１には、上方向に開口する上開口１１ｃと下方向に開口する下開口１１ｄが形成されている。
【００１６】
保持解除ボタン１２は、使用者が押圧することにより、治療工具Ｔをヘッド１０から取り外し可能にするものであり、上開口１１ｃを塞ぐように配置されたブラケット１３の上側に設けられる。
次に、ヘッドハウジング１１の内部には、工具保持体１４が備えられている。工具保持体１４は、内部に治療工具Ｔを保持する空間を形成する下方向に向いて開口する筒状の部位を備えている。工具保持体１４は、保持解除ボタン１２が押されることで、保持する治療工具Ｔの保持を解除し、ヘッド１０に対して治療工具Ｔが着脱自在となる。
尚、保持解除ボタン１２の周囲には、ヘッド１０の内部と通じている隙間が形成されている。この隙間は、ハンドピースＨを洗浄装置に接続して洗浄する際、洗浄装置から供給された薬液や温水が、ヘッド１０の内部から排出される部分となる。
【００１７】
この様な工具保持体１４は、上軸受１５及び下軸受１６を介してヘッドハウジング１１の内部に配置されることで、回転自在に支持される。
また、工具保持体１４には、上軸受１５と下軸受１６の間となる位置に、ヘッド歯車１４ａが形成されている。ヘッド歯車１４ａは、ヘッド１０の外部から回転駆動力が伝達されて、工具保持体１４を回転駆動するためのものである。ヘッド歯車１４ａには、かさ歯車が用いられている。
工具保持体１４に保持された治療工具Ｔは、下開口１１ｄから下方向に向けてヘッド１０の外部に突出した状態となる。
尚、下軸受け１６の周囲には、ヘッド１０の内部と通じている隙間が形成されている。この隙間は、ハンドピースＨを洗浄装置に接続して洗浄する際、洗浄装置から供給された薬液や温水が、ヘッド１０の内部から排出される部分となる。
【００１８】
グリップ２０  ネックスリーブ
次に、図２〜図４を参照してグリップ２０を説明する。
グリップ２０は、ネックスリーブ２１とグリップスリーブ２２から構成されている。
ネックスリーブ２１は、前方向に至るにつれて小さくなる窄んだ筒形状を成している。また、ネックスリーブ２１は、前側にネックスリーブ前開口２１ａが、後側にネックスリーブ後開口２１ｂが開口する。ネックスリーブ前開口２１ａは、ヘッドハウジン接続部１１ａの形状と同様に円形状であり、開口を形成する内壁には雌螺子が形成されている。
【００１９】
また、ネックスリーブ後開口２１ｂは、円形状である。ネックスリーブ後開口２１ｂの後端から所定の部分の開口径を大きくすることで、ネックスリーブ内段部２１ｃが形成されている。更に、ネックスリーブ２１の後端から所定の部分の外径を小さくすることで、ネックスリーブ外段部２１ｄが形成されている。ネックスリーブ外段部２１ｄには、雄螺子が形成されている。
【００２０】
このようなネックスリーブ２１は、ネックスリーブ前開口２１ａに直交する直線と、ネックスリーブ後開口２１ｂに直交する直線が、交わるように構成されている。つまり、ネックスリーブ２１は、前後方向に延びる直線に対して、途中の部分から曲がった形状を成している。
尚、ネックスリーブ２１の下面には、導光路２６に導かれた光が放射されるライト開口２１ｅが開口している。
【００２１】
グリップスリーブ
次に、グリップスリーブ２２は、前方向に至るにつれて小さくなる窄んだ筒形状を成している。また、グリップスリーブ２２は、前側にグリップスリーブ前開口２２ａが、後側にグリップスリーブ後開口２２ｂが形成されている。
グリップスリーブ前開口２２ａは、円形の開口であり、内面に雌螺子が形成され、ネックスリーブ外段部２１ｄに嵌り込み螺子固定される形状を成している。また、グリップスリーブ後開口２２ｂは円形の開口であり、端部から所定の部分の内面に雌螺子が形成されている。
このグリップスリーブ後開口２２ｂの内部には、後述するリング螺子２３が螺子固定される。リング螺子２３は、リング形状の基体外周部に、雄螺子を形成したものであり。
【００２２】
次に、モータＭの駆動力をヘッド１０へと伝達する伝達機構について説明する。
伝達機構は、第１伝達軸６０と第２伝達軸７０を備える。主に図７を参照すると、第１伝達軸６０はモータＭのモータ接続部Ｍａの内部に位置する回転軸に接続して、回転駆動力を伝達する軸である。第１伝達軸６０は、後端にモータＭの回転軸に接続する連結部６１が設けられ、前端に第２伝達軸６０と接続して駆動力を第１伝達軸６０へ伝達する第１歯車６２が設けられている。
本実施の形態の場合、第１歯車６２は、内歯車を用いている。第１歯車６２に内歯車を使用するハンドピースＨは、モータＭの回転数を減速して治療工具Ｔを回転駆動させる減速ハンドピースである。
【００２３】
また、第１伝達軸６０は、軸受６３に回転自在に軸支持される。本実施の形態では、２つの軸受６３を第１伝達軸６０の長手方向に連ねて配置している。軸受６３は、円筒形状の軸受ホルダ６４に保持されている。
軸受ホルダ６４は、第１伝達軸６０の軸方向と直交する方向である径方向に突出する軸受ホルダ突出部６４ａが形成されている。
【００２４】
この軸受ホルダ突出部６４ａは、軸受ホルダ６４の一部分の直径を大きくすることで、形成されている。この軸受ホルダ突出部６４ａの直径Ｒ１の大きさは、第１歯車６２の直径Ｒ２よりも大きく構成されている（Ｒ１＞Ｒ２）。つまり、軸受けホルダ突出部６４ａは、第１歯車６２より径方向に突出した部分を有する。
【００２５】
次に、主に図２〜図４を参照すると、第２伝達軸７０は、第１伝達軸６０とヘッド歯車１４ａに接続して、回転駆動力を工具保持体１４に伝達するものである。第２伝達軸７０は、後端に第２歯車７１を備え、前端に第３歯車７２を備える。
第２歯車７１は、第１歯車６２と接続する歯車であり、第３歯車７２はヘッド歯車（第４歯車）１４ａと接続する歯車である。また、第２伝達軸７０は、前側及び後側で、それぞれ軸受７３で回転自在に支持される。
【００２６】
次に、伝達機構を内部で支持する内部ケースについて説明する。
図２〜図４を参照すると、内部ケースは、グリップ２０の内部の前側に位置するジャケットケース３０と、後側に位置する接続ケース５０と、中間に位置する中間ケース４０を備える。
ジャケットケース３０は、内部に第２伝達軸７０を通して回転自在に保持する円筒状の部材である。ジャケットケース３０は、第２伝達軸７０が貫通する軸貫通孔３１と、第２伝達軸７０を支持する軸受７３を収容する軸受収容部３２を備えている。
【００２７】
ジャケットケース３０に第２伝達軸７０が保持された状態において、ジャケットケース３０の先端より前に第３歯車７２が位置し、ジャケットケース３０の後端より後方に第２歯車７１が位置する。つまり、各歯車がジャケットケース３０の前後に突出した状態となる。
また、ジャケットケース３０の前端部分には、外表面３０ａに雄螺子が形成されている。更に、ジャケットケース３０の後端側には、後述する中間ケース４０との接続位置において、その隙間をシールするＯリング等のシール手段３３が設けられている。
【００２８】
次に、接続ケース５０を説明する。
主に図８を参照すると、接続ケース５０は、円筒状の部材であり、モータＭのモータ接続部Ｍａが内部に挿入することで、モータＭとハンドピースＨが接続する部位である。また、接続ケース５０の内部には、第１伝達軸６０が通っている。接続ケース５０は、接続ケース円筒部５１と、この接続ケース円筒部５１において、前方に向いて開口する接続ケース前開口５１ａと、後方に向いて開口する接続ケース後開口５１ｂを有する。
【００２９】
更に、接続ケース５０は、接続ケース円筒部５１の表面から径方向に帯状に突出する接続ケース突出部５２と、接続ケース後開口５１ｂの周囲に設けられた接続受部５４を備える。接続ケース突出部５２の頂部には、前後方向に延びる溝５２ａが形成されている。
また、接続ケース円筒部５１の後側において、表面から径方向に帯状に突出する接続ケース螺子受部５５が形成されている。
【００３０】
接続ケース後開口５１ｂは、モータ接続部Ｍａが接続ケース５０内部に入り込み接続するための接続開口である。また、接続ケース後開口５１ｂは、ハンドピースＨを洗浄する際に、洗浄装置に取り付けられる部位となり、洗浄時には洗浄液や温水や温風がハンドピースＨの内部へ供給される開口となる。
【００３１】
円筒部５１の内部は、モータ接続部Ｍａを保持する部位であり、内壁にはモータ接続部Ｍａに設けられたシール部材Ｍｂが嵌り込む複数の溝５１ｃが形成されている。接続受部５４は、モータＭとハンドピースＨが接続した状態において、モータＭと対向する部位となる。
尚、接続ケース突出部５２と接続ケース前開口５１ａの間の部位は、後述する中間ケース４０と接続する接続筒部５３となる。接続筒部５３は、中間ケース４０の中間ケース後開口４２ａの内側に入り込む部位となる。
【００３２】
次に、主に図５を参照すると、中間ケース４０を説明する。
中間ケース４０は、ジャケットケース３０と接続ケース５０の間に位置し、内部に第１伝達軸６０と第２伝達軸７０の歯車接続空間Ｐを形成する。つまり、中間ケース４０は、異なる方向から内部に入り込む伝達軸を接続する空間を形成する。
【００３３】
この中間ケース４０は、中間ケース前円筒部４１と中間ケース後円筒部４２が、中間ケース接続部４３を介して、前後に連なるように形成された円筒状の部材である。尚、中間ケース４０は、金属材料から削り出すことで一体に形成されるものであり、各部を説明する為に上記のように３つの部位に分けている。
【００３４】
中間ケース前円筒部４１は、前方に向けて中間ケース前開口４１ａが開口する円筒状の部位であり、後述する中間ケース後円筒部４２より直径が小さい。中間ケース前開口４１ａの大きさは、第２伝達軸７０を保持するジャケットケース３０が入り込み、保持される程度の開口径である。
尚、中間ケース前円筒部４１は、円筒の中心軸が、前後方向に延びる直線に対して、傾いた状態で、グリップ２０の内部に位置する。つまり、中間ケース前開口４１ａは、斜め上方向を向いている。これは、曲がったネックスリーブ２１の形状に合わせて傾かせているものである。
【００３５】
次に、中間ケース後円筒部４２は、後方に向けて中間ケース後開口４２ａが開口する円筒状の部位であり、中間ケース前円筒部４１より直径が大きい。中間ケース後開口４２ａの大きさは、第１伝達軸６０の軸受けホルダ６４が入り込むことが可能な程度の開口径である。
また、中間ケース後円筒部４２は、円筒表面から径方向に帯状に突出する第１突出部４２ｂと  第２突出部４２ｃを備える。第１突出部４２ｂは、中間ケース後円筒部４２の前側に位置する。第２突出部４２ｃは、中間ケース後円筒部４２の後側に位置する。
【００３６】
第１突出部４２ｂは、前側の部分の突出高さを後側の部分の突出高さより小さくすることで、突き当て段４２１ｂが形成されている。
第１突出部４２ｂの前側の大きさは、ネックスリーブ後開口２１ｂの開口径より小さく構成されている。また、第１突出部４２ｂの後側の大きさは、ネックスリーブ後開口２１ｂの開口径より大きくて、グリップスリーブ前開口２２ａより小さく構成されている。更に、第１突出部４２ｂの頂部には、前後方向に延びる溝４２２ｂが形成されている。
【００３７】
次に、第２突出部４２ｃは、第１突出部４２ｂの後側の部分と同じ大きさに構成されている。つまり、第２突出部４２ｃは、グリップスリーブ前開口２２ａより小さく構成されている。また、第２突出部４２ｃの頂部には、前後方向に貫く開口４２１ｃが形成されている。更に、第２突出部４２ｃの右方向を向く部分には、前後方向に延びる横側溝４２２ｃが形成されている。
次に、中間ケース後円筒部４２の下面において、第１突出部４２ｂから第２突出部４２ｃにかけて、凹部４２ｄが形成されている。この凹部４２ｄは、中間ケース４０がグリップ２０の内部に配置された状態において、中間ケース４０の下面とグリップ２０の内面との間に、スペースを形成するためのものである。  
【００３８】
この様に構成された中間ケース後円筒部４２は、円筒の中心軸が、ハンドピースＨに対して前後方向に延びる直線に平行となるように、グリップ２０の内部に位置する。
これに対して、中間ケース前円筒部４１は、円筒の中心軸が、前後方向に延びる直線に対して、傾いた状態で、グリップ２０の内部に位置する。つまり、中間ケース前円筒部４１は、中間ケース後円筒部４２に対して、傾いた状態となる。
【００３９】
次に、中間ケース接続部４３は、中間ケース前円筒部４１と中間ケース後円筒部４２を接続する部位である。中間ケース接続部４３は、径の異なる２つの円筒部を接続するので、外形状が概ね円錐形状を成している。
また、中間ケース接続部４３は、内部が中空であり、中間ケース前円筒部４１の内部空間と中間ケース後円筒部４２の内部空間が連通するように接続する。つまり、中間ケース４０の内部空間は、中間ケース前開口４１ａから中間ケース後開口４２ａにかけて、連通した空間となる。そして、この空間は、第１歯車６２と第２歯車７１の歯車接続空間Ｐとなる。
【００４０】
以上の中間ケース４０の内部は、次のように構成されている。
中間ケース４０の内壁には、第１伝達軸６０の軸受６３を支持する軸受ハウジング６４が後方より突き当たることで、中間ケース４０の内部における第１伝達軸６０の位置を決める部位である位置決め段部４０ａが形成されている。
本実施の形態の場合、第１位置決め段部４０１ａと、この第１位置決め段部４０１ａの後方に位置する第２位置決め段部４０２ａの２つの位置決め段部４０ａが設けられている。
【００４１】
第１位置決め段部４０１ａは、２つの異なる内径の円筒部分を前後に組み合せることにより、形成されている。本実施の形態の場合、中間ケース接続部４３の部分の接続部内径ｒ１に対して、中間ケース後円筒部４２の前側の部分の内径である前内径ｒ２を大きく構成することで、第１位置決め段部４０１ａを形成している。
【００４２】
また、第２位置決め段部４０２ａは、中間ケース後円筒部４２の前内径ｒ２より、中間ケース後円筒部４２の後側の部分の内径である後内径ｒ３を大きく構成することで、形成されている。
以上のように構成することで、中間ケース４０の内壁に、前後に異なる位置に複数の位置決め段部４０ａが形成される。
【００４３】
尚、図３〜図４に示すように、ハンドピースＨは、以上で説明した各部に加え、回り止めシャフト８０と係止シャフト８１を備える。回り止めシャフト８０は、グリップ２０の内部に設けられた中間ケース４０が、回転しないように固定する為のものである。
また、係止シャフト８１は、内部に第２伝達軸７０を保持したジャケットケース３０が、グリップ２０の内部で動かないように押さえるものである。
【００４４】
主に図２〜図４を参照すると、以上のように構成された各部は、次のように組み立てられハンドピースＨを構成する。
まず、ヘッド１０に対して、第２伝達軸７０を保持したジャケットケース３０が接続する。
ヘッド１０へは、ハウジング後開口１１ｂに対して、第３歯車７２側から第２伝達軸７０及びジャケットケース３０が入り込む。そして、ジャケットケース３０の前側端は、ハウジング後開口１１ｂからヘッドハウジング接続部１１ａの内部に入り込み固定される。
【００４５】
ジャケットケース３０は、前端部分に形成されている雄螺子により、ヘッドハウジング接続部１１ａの内壁面に形成された雌螺子に螺子固定される。このように、ヘッドハウジング１１に対してジャケットケース３０が螺子固定されることで、両部材は強固に突き当たり、両部材の間の隙間を無くすことができる密閉構造となっている。
【００４６】
また、第３歯車７２は、上軸受１５と下軸受１６の間に入り込み、ヘッド歯車１４ａと接続した状態で、ヘッド１０の内部で回転可能に位置する。この様にヘッド１０に対して、ジャケットケース３０が接続することで、ヘッド１０の内部空間とジャケットケース３０の内部空間である軸貫通孔３１は、連通した状態となる。
【００４７】
次に、ヘッド１０と第２伝達軸７０を保持したジャケットケース３０が接続した状態の物に、ネックスリーブ２１が接続する。まず、ネックスリーブ２１の内部空間の下側の領域には、あらかじめ、水流路２４とエア流路２５と導光路２６となる部材が設けられている。導光路２６は、ライト開口２１ｅに接続している。
【００４８】
そして、これらの部材が設けられたネックスリーブ２１は、ネックスリーブ前開口２１ａから、内部にジャケットケース３０を通しながらヘッドハウジング接続部１１ａに至る。そして、ヘッドハウジング接続部１１ａの外周面に形成された雄螺子に、ネックスリーブ前開口２１ａに形成された雌螺子が螺子固定される。
【００４９】
次に、ヘッド１０とジャケットケース３０とネックスリーブ２１が接続した状態の物に、中間ケース４０が取り付けられる。
まず、ネックスリーブ２１に対して、ネックスリーブ後開口２１ｂから、中間ケース４０が中間ケース前円筒部４１側から入り込む。この時、中間ケース前開口４１ａから、第２伝達軸７０を保持したジャケットケース３０が中間ケース４０の内部に入り込む。
【００５０】
そして、中間ケース４０は、第１突出部４２ｂがネックスリーブ２１の内部に入り込む。ここで、第１突出部４２ｂの後側の部分は、ネックスリーブ後開口２１ｂより大きく形成されている。従って、第１突出部４２ｂの突き当て段４２１ｂは、ネックスリーブ後開口２１ｂの開口縁に突き当たる。これにより、ネックスリーブ２１に対する中間ケース４０の前方向に位置が決まる。
【００５１】
この様に、第１突出部４２ｂは、突き当て段４２１ｂより前の部分がネックスリーブ２１の内部に入り込み、突き当て段４２１ｂより後の部分がネックスリーブ２１の後側の外側に位置する。
言い換えると、中間ケース４０は、ネックスリーブ２１に対して後ろから前方向に突き当たり配置されるので、後述するグリップスリーブ２２がネックスリーブ２１に接続して構成されるグリップ２０の内部において、ネックスリーブ２１の部分に前方を突き当てて配置されることになる。
【００５２】
また、上記のように、ネックスリーブ２１に対して中間ケース４０が入り込んだ状態において、  中間ケース４０の内部には、ジャケットケース３０と第２伝達軸７０の後側の部分が位置する。
ジャケットケース３０は、中間ケース前円筒部４１において保持されている。ジャケットケース３０と中間ケース前円筒部４１の間には、両部材の間に隙間を塞ぐシール手段３３が設けられている。このシース手段３３により、ジャケットケース３０と中間ケース前円筒部４１の間は、密閉構造となっている
第２伝達軸７０は、中間ケース４０の内部において、ジャケットケース３０の内部から突出している。従って、第２伝達軸７０の後端に設けられた第２歯車７１は、中間ケース４０の内部に位置する。
【００５３】
尚、中間ケース４０とネックスリーブ２１の間には、回り止めシャフト８０が設けられている。回り止めシャフト８０は、前後方向に延びるように、中間ケース４０の横側溝４２２ｃを通り、ネックスリーブ２１側に係止されている。
このように、回り止めシャフト８０が両部材を貫いて配置されているので、中間ケース４０がネックスリーブ２１に対して回らないように構成されている。
【００５４】
次に、ネックスリーブ２１に取り付けられた中間ケース４０に対して、第１伝達軸６０が取り付けられる。まず、第１伝達軸６０は、第１歯車６２側を前にして、中間ケース後開口４２ａから中間ケース４０の内部にへと入り込む。第１歯車６２の直径Ｒ２は、中間ケース後円筒部４２の後内径ｒ３及び前内径ｒ２より小さいので、第１歯車６２は前内径ｒ２の部分まで入り込む。
また、軸受ホルダ６４の突出部６４ａの直径Ｒ１は、前内径ｒ２より大きいので、中間ケース４０の内径の形成された第２位置決め段部４０２ａに突き当たる。
【００５５】
つまり、第１伝達軸６０は、軸受ホルダ６４の突出部６４ａが、第２位置決め段部４０２ａに前方に向いて突き当たることで、前方向の位置が決まる。この状態において、第１歯車６２は、中間ケース後円筒部４２の前内径がｒ２の部分に、第２歯車７１と接続した状態で、回転自在に位置する。
また、軸受ホルダ６４は、突出部６４ａが中間ケース後円筒部４２の内壁に径方向から支持される。更に、中間ケース４０の凹部４２ｄの下に水流路２４とエア流路２５と導光路２６が位置する。
【００５６】
次に、各部と接続したネックスリーブ２１に対して、グリップスリーブ２２が取り付けられる。グリップスリーブ２２は、グリップスリーブ前開口２２ａがネックスリーブ外段部２１ｄに嵌り、グリップスリーブ前開口２２ａの雌螺子が、ネックスリーブ外段部２１ｄの雄螺子に螺子止めすることで、ネックスリーブ２１に固定される。
【００５７】
この状態において、グリップスリーブ２２の内部には、中間ケース４０と第１伝達軸６０とネックスリーブ２１から伸びる水流路２４とエア流路２５と導光路２６を通した状態となる。また、中間ケース４０の第１突出部４２ｂの後側と第２突出部４２ｃは、グリップスリーブ２２の内壁に径方向から支持される。
【００５８】
次に、各部と接続したグリップスリーブ２１に対して、接続ケース５０が取り付けられる。接続ケース５０は、グリップスリーブ後開口２２ｂからグリップスリーブ２２の内部に入り込む。
接続ケース５０の接続筒部５３の外径は、中間ケース４０の後内径ｒ３より小さく構成されている。従って、接続筒部５３は、中間ケース後開口４２ａから中間ケース４０の内部に入り込む。そして、接続筒部５３の開口縁は、突出部６４ａに対して後側から突き当たる。
つまり、突出部６４ａは、前側を第２位置決め段部４０２ａ、後側を接続筒部５３に挟み込まれた状態となる。
【００５９】
この様な状態において、接続ケース５０の内部には、第１伝達軸６０が位置する。また、接続ケース５０の下側であって、グリップスリーブ２２との間には、水流路２４とエア流路２５と導光路２６が位置する。
更に、接続ケース５０の接続ケース突出部５２と接続ケース螺子受部５５は、グリップスリーブ２２の内壁に径方向から支持される。
【００６０】
次に、接続ケース５０を内部に備えたグリップスリーブ２１に対して、リング螺子２３を取付ける。リング螺子２３は、接続受部５４側から、接続ケース５０とグリップスリーブ２２の間に挿入される。そして、リング螺子２３は、グリップスリーブ後開口２２ｂに形成された雌螺子に、リング螺子２３の外周に形成された雄螺子を螺子込むことで、グリップスリーブ２１に取り付けられる。
リング螺子２３は、グリップスリーブ２１にねじ込まれて取り付けられることで、前方向に移動していき、接続ケース５０の接続ケース螺子受部５５に後側から突き当たり、螺子締められる。
【００６１】
ここで、中間ケース４０の第１突出部４２ｂは、ネックスリーブ後開口２１ｂの開口縁に、突き当て段４２１ｂが突き当たる。つまり、中間ケース４０は、ネックスリーブ２１に対して突き当たり、前方向の位置が決まる。
また、第１伝達軸６０は、軸受ホルダ６４の突出部６４ａが、中間ケース４０の第２位置決め段部４０２ａに前方に向いて突き当たることで、前方向の位置が決まる。
【００６２】
更に、接続ケース５０の接続筒部５３は、中間ケース後開口４２ａから中間ケース４０の内部に入り込む。そして、接続筒部５３の開口縁は、突出部６４ａに対して後側から突き当たる。つまり、接続ケース５０は、第１伝達軸６０の軸受けホルダ６４に対して突き当たり、前方向の位置が決まる。
このように、ネックスリーブ２１に対して、中間ケース４０が突き当たり、更に、中間ケース４０に対して第１伝達軸６０が突き当たり、更に、第１伝達軸６０に対して接続ケース５０が突き当たるよう構成されている。
【００６３】
そして、これらの部材を内部に保持するグリップスリーブ２２は、ネックスリーブ２１に対して螺子により固定される。つまり、グリップスリーブ２２とネックスリーブ２１は、一体のグリップ２０を形成する筺体となる。
従って、グリップスリーブ後開口２２ｂにリング螺子２３を螺子込むことで、リング螺子２３とネックスリーブ２２の間に、中間ケース４０と第１伝達軸６０の軸受けホルダ６４と接続ケース５０が挟まれる。
【００６４】
リング螺子２３をグリップスリーブ後開口２２ｂに螺子込むことで、接続ケース螺子受部５５にリング螺子２３が当接し、接続ケース５０を前方向に押す。これにより、接続ケース５０が軸受ホルダ６４を前方向に押し、更に、軸受ホルダ６４が中間ケース４０に押しつけられ、更に、中間ケース４０がネックスリーブ２２に押しつけられる。
つまり、リング螺子２３をグリップスリーブ２２に対して螺子止めすることで、ネックスリーブ２２と中間ケース４０と第１伝達軸６０の軸受けホルダ６４と接続ケース５０が密着して、ネックスリーブ２２とリング螺子２３の間に固定される。
【００６５】
この様に各部が構成されるので、接続ケース５０と中間ケース４０とジャケットケース３０の内部に、伝達機構を備える空間を形成する。そして、ジャケットケース３０がヘッド１０に接続しているので、この伝達機構を備える空間は、ヘッド１０の内部空間と連通する。
特に、第１伝達軸６０の軸受ホルダ６４と接続ケース５０が接する部分は、軸受ホルダ６４が保持されている中間ケース４０の内部に、接続ケース５０の接続筒部５３が入り込んで、この接続筒部５３の端が軸受ホルダ６４と接している。
【００６６】
つまり、接続筒部５３と中間ケース４０が、径方向に重なる部分が形成される。これにより、接続筒部５３と中間ケース４０の接続部分にラビリンス構造が形成され、接続ケース５０と中間ケース４０により形成される内部空間が、径方向外側に対して密閉構造となる。
また、接続筒部５３と中間ケース４０の間に、軸受ホルダ６４が挟まれて固定されるので、軸受ホルダ６４を備える第１伝達軸６０が、ハンドピースＨの内部に安定する。
【００６７】
次に、グリップスリーブ２２に取り付けられた接続ケース５０に、係止シャフト８１が挿入され取り付けられる。係止シャフト８１の後端には、雄螺子が形成されている。接続ケース５０の接続受部５４には、係止シャフト８１を取付けるシャフト取り付け開口５６が開口している。シャフト取り付け開口５６は、雌螺子が形成された貫通した開口である。
【００６８】
シャフト取り付け開口５６から挿入された係止シャフト８１は、中間ケース４０の開口４２１ｃを貫き溝４２２ｂを通り、ジャケットケース３０に至る。ジャケットケース３０は、係止シャフト８１に対して傾いているので、係止シャフト８１により抑えつけられる。
これにより、ジャケットケース８１には、下方向を向く力が作用し、ネックスリーブ２１に対して抑えつけられ固定される。
以上のように各部を構成することで、治療工具Ｔが、モータの回転数より高い回転数で回転する（モータの回転速度より速く回転する）増速タイプのハンドピースＨが構成される。
【００６９】
このように、グリップ２０を構成するネックスリーブ２１とグリップスリーブ２２の内部において、ジャケットケース３０と中間ケース４０と接続ケース５０は、それぞれ接続して、内部に伝達機構を通して保持する保持空間Ｓを形成する。そして、ジャケットケース３０はヘッド１０と内部空間が連通した状態で接続しているので、保持空間Ｓとヘッド１０の内部が連通する。
また、ヘッド１０とジャケットケース３０、ジャケットケース３０と中間ケース４０、中間ケース４０と接続ケース５０のそれぞれの接続部分は、密閉構造となっている。
【００７０】
このように各部が構成されているので、ハンドピースＨを洗浄する為に接続ケース後開口５１ｂに洗浄装置を接続して洗浄を開始すると、接続ケース後開口５１ｂから保持空間Ｓの内部に薬液や温水が流入し、第１伝達軸６０や第２伝達軸７０がこれらの液体により洗浄されて、温風によって乾燥される。
そして、保持空間Ｓからヘッド１０に至ったこれらの液体は、ヘッド１０の内部を洗浄して、ヘッド１０の各部の隙間からハンドピースＨの外部に排出する。
【００７１】
この時、保持空間Ｓから、ヘッド１０とジャケットケース３０、ジャケットケース３０と中間ケース４０、中間ケース４０と接続ケース５０のそれぞれの接続部分は、密閉構造となっているので、これらの接続部分から保持空間Ｓの外部へ、薬液や温水の漏れ出しを防ぐことができる。
つまり、グリップ２０と、保持空間Ｓを形成するジャケットケース３０と中間ケース４０と接続ケース５０との間に隙間に、薬液や温水の漏れ出しを防ぐことができる。これにより、洗浄後に内部に洗浄液や水が残りにくい歯科用ハンドピースを提供することができる。
【００７２】
特に、ネックスリーブ２１のネックスリーブ内段部２１ｃに対して中間ケース４０を後方より突き当て、この中間ケース４０と接続ケース５０の間に挟むように、第１伝達軸６０の軸受ホルダ６４を配置する。
そして、ネックスリーブ２１のネックスリーブ外段部２１ｄに固定されたグリップスリーブ２２の後開口２２ｂに、リング螺子２３を螺子込むことで、接続ケース螺子受部５５が前方押され、ネックスリーブ２１とリング螺子２３の間に、中間ケース４０と軸受ホルダ６４と接続ケース５０が挟み込まれ固定される。
上記のリング螺子２３の取り付けについて、グリップスリーブ２２は、グリップ２０を構成することから、リング螺子２３はグリップに螺子込まれることになる。
【００７３】
これにより、軸受ホルダ６４と中間ケース４０と接続ケース５０の接する部分に構成されるラビリンス構造が、より強固に密閉され、この部分から内部ケースの外に薬液等が漏れにくくなる
また、内ケースを構成する中間ケース４０と接続ケース５０で軸受ホルダ６４を挟み込み固定するので、モータＭの駆動力を受ける第１伝達軸６０を、内ケースに対して、より強固に保持することができる。
【００７４】
ここで、中間ケース４０の内部構造について更に説明する。
中間ケース４０の内部には、位置決め段部４０ａが、前側の位置となる第１位置決め段部４０１ａと後側の位置となる第２位置決め段部４０２ａの２つ段部が形成されている。
そして、以上で説明した増速タイプのハンドピースＨの場合、第２位置決め段部４０２ａに、軸受ホルダ６４の突出部６４ａの前側を突き当てることで、中間ケース４０の内部において軸受ホルダ６４の位置を決めている。
【００７５】
増速タイプのハンドピースＨの場合、途中で曲げられたグリップの内部空間で、第１伝達軸の第１歯車である内歯車に、第２伝達軸の第２歯車を接触させ互いの歯をかみ合わせる必要があるため、後述する等速タイプや減速タイプのハンドピースＨと比べて、第１伝達軸６０が短く、第２伝達軸７０が長く構成されている。
【００７６】
本実施の形態の中間ケース４０は、増速タイプや減速タイプや等速タイプなど、様々な仕様の伝達機構の形態に対して、共通して用いることができるものである。
尚、減速タイプとは、治療工具Ｔが、モータの回転数より低い回転数で回転する（モータの回転速度より遅く回転する）ハンドピースＨである。また、等速タイプとは、治療工具Ｔが、モータの回転数と同じ回転数で回転する（モータの回転速度と同じ速度で回転する）ハンドピースＨである。
【００７７】
以下、図９を参照して、等速タイプの伝達機構を用いた形態を説明する。図９は、等速の伝達機構を備えたハンドピースの断面図である。尚、以上で説明した増速タイプのハンドピースＨと同じ構成又は共通の構成は、同じ符号を付し説明を省略する。
まず、等速タイプのハンドピースＨに用いられる第１伝達軸６０の軸受ホルダ６４は、軸受ホルダ突出部６４ａの前方向に延びる延長部が形成されている。延長部は、軸受ホルダ突出部６４ａの近くに位置する後延長部６４ｂと、この後延長部６４ｂの前側に位置する前延長部６４ｃから構成されている。
【００７８】
後延長部６４ｂは、円筒形状を成し、直径Ｒ４は中間ケース４０の前内径ｒ２と同じか、若干小さく構成されている。前延長部６４ａは、円筒形状を成し、直径Ｒ５は中間ケース前円筒部４１の前内径ｒ１と同じか、若干小さく構成されている。
この様に構成されているので、等速タイプのハンドピースＨに用いられる軸受ホルダ６４は、前方側から後方側に向けて、前延長部６４ａ、後延長部６４ｂ、軸受ホルダ突出部６４ａと、徐々に大きくなる円筒部分が連なり形成されている。
【００７９】
この様に構成された軸受けホルダ６４を有する第１伝達軸６０は、次のように中間ケース４０に取り付けられる。
第１伝達軸６０は、第１歯車６２側を前にして、中間ケース後開口４２ａから中間ケース４０の内部にへと入り込む。ここで、第１歯車６２の直径Ｒ６は、中間ケース前円筒部４１の内径である前円筒部内径ｒ４と接続部内径ｒ１と前内径ｒ２と後内径ｒ３のいずれよりも小さく構成されている。
従って、第１歯車６２は、中間ケース前円筒部４１の内部に至る。
【００８０】
次に、前延長部６４ｃは、直径Ｒ５は中間ケース接続部４３の前内径ｒ１と同じか、若干小さく構成されているので、中間ケース接続部４３の内部に入り込む。
そして、後延長部６４ｂは、直径Ｒ４は中間ケース後円筒部４２の前内径ｒ２と同じか、若干小さく構成されているので、中間ケース後円筒部４２の前内径ｒ２の部分の内部に入り込む。この時、後延長部６４ｂの前面６４１ｂは、第１位置決め段部４０１ａに後ろから突き当たる。
【００８１】
つまり、第１伝達軸６０は、軸受ホルダ６４の後延長部６４ｂの前面６４１ｂが、第１位置決め段部４０１ａに前方に向いて突き当たることで、前方向の位置が決まる。位置決め段部４０ａは、第１伝達軸の位置決め部分となる。
この状態において、第１歯車６２は、中間ケース前円筒部４１の内部に、第２歯車７１と接続した状態で、回転自在に位置する。また、軸受ホルダ６４は、突出部６４ａが中間ケース後円筒部４２の内壁に径方向から支持される。
【００８２】
以上、等速タイプのハンドピースＨの構成を説明したが、増速タイプは、第１伝達軸において、増速機構となる遊星ギアを有する点で異なるが、その他の構成は、等速タイプのハンドピースＨと同様である。
このように、中間ケース４０の内部に、第１伝達軸６０の位置を決める複数の位置決め段部４０ａを設けることにより、中間ケース４０を変えることなく、等速や増速や減速等、異なるさまざまな仕様のハンドピースＨの伝達機構に対応することができる。
【００８３】
つまり、組み立てるハンドピースＨの仕様の違いにより、用いる伝達機構が変り、第１伝達軸６０の長さが変わっても、中間ケース４０をさまざまな仕様の第１伝達軸６０に対して、共通して用いることができる。
尚、本実施の形態においては、位置決め段部４０ａは２段のもので説明したが、３段以上でもよい。段数を増やすことで、より多くの様々な伝達機構に対応することができる。
【００８４】
また、本実施の形態における歯車に係る説明について、歯車と歯車が接続するとは、歯車の歯と歯が噛み合い、駆動力が伝達可能な状態となることである。また、前後方向に延びる直線とは、第１の伝達軸が伸びる方向と平行な直線である。つまり、モータＭがハンドピースＨに接続する接続する方向と平行な方向である。
【符号の説明】
【００８５】
Ｈ  ハンドピース
Ｔ  治療工具
Ｍ  モータ
Ｍａ  モータ接続部
Ｐ  歯車接続空間
１０  ヘッド
１１  ヘッドハウジング
１１ａ  ヘッドハウジング接続部
１１ｂ  ヘッドハウジング後開口
１１ｃ  上開口
１１ｄ  下開口
１２  保持解除ボタン
１３  ブラケット
１４  工具保持体１４
１４ａ  ヘッド歯車（第４歯車）
１５  上軸受
１６  下軸受
２０  グリップ
２１  ネックスリーブ
２１ａ  ネックスリーブ前開口
２１ｂ  ネックスリーブ後開口
２１ｃ  ネックスリーブ内段部
２１ｄ  ネックスリーブ外段部
２１ｅ  ライト開口
２２  グリップスリーブ
２２ａ  グリップスリーブ前開口
２２ｂ  グリップスリーブ後開口
２３  リング螺子
３０  ジャケットケース
３０ａ  外表面
３１  軸貫通孔
３２  軸受収容部
３３  シール手段
４０  中間ケース
４０ａ  位置決め段部
４０１ａ  第１位置決め段部
４０２ａ  第２位置決め段部
４１  中間ケース前円筒部
４１ａ  中間ケース前開口
４２  中間ケース後円筒部
４２ａ  中間ケース後開口
４２ｂ  第１突出部
４２１ｂ  突き当て段
４２２ｂ  溝
４２ｃ  第２突出部
４２１ｃ  開口
４２２ｃ  横側溝
４２ｄ  凹部
４３  中間ケース接続部
５０  接続ケース
５１  接続ケース円筒部
５１ａ  接続ケース前開口
５１ｂ  接続ケース後開口
５２  接続ケース突出部
５３  接続筒部
５４  接続受部
５５  接続ケース螺子受部
５６  シャフト取り付け開口
６０  第１伝達軸
６１  連結部
６２  第１歯車
６３  軸受
６４  軸受ホルダ
６４ａ  軸受ホルダ突出部
６４ｂ  後延長部
６４ｃ  前延長部
７０  第２伝達軸
７１  第２歯車
７２  第３歯車
７３  軸受
８０  回り止めシャフト
８１  係止シャフト
【図１】
2020130747.tif 000003
【図２】
2020130747.tif 000004
【図３】
2020130747.tif 000005
【図４】
2020130747.tif 000006
【図５】
2020130747.tif 000007
【図６】
2020130747.tif 000008
【図７】
2020130747.tif 000009
【図８】
2020130747.tif 000010
【図９】
2020130747.tif 000011